(57)【要約】      （修正有）【課題】ビデオ-オーディオ娯楽マルチメディア処理装置を提供する。【解決手段】少なくとも、制御機構１と音声機構２及び画像機構３が備えられ、画像機構で、異なる音声主題について、必要とする画像データを編集し、編集した画像データを、音声機構の音声データに合わせて、同時に、制御機構で出力できるため、勝手に出力したい画像を編集や設定できる効果が得られる。【選択図】図１
0003145706.tif 000002
【実用新案登録請求の範囲】
【請求項１】
少なくとも、処理ユニットと処理ユニットに接続される第１の入力ユニット及び処理ユニットに接続される出力ユニットが備えられる制御機構と、
少なくとも、音源ユニットと音源ユニットに接続される第２の入力ユニット及び音源ユニットに接続されて上記の処理ユニットに接続される第１の伝送ユニットとが備えられる音声機構と、
少なくとも、画像ユニットと画像ユニットに接続される第３の入力ユニット及び画像ユニットに接続されて上記の処理ユニットに接続される第２の伝送ユニットが備えられる画像機構と、が含有される、ことを特徴とするビデオ-オーディオ娯楽マルチメディア処理装置。
【請求項２】
該制御機構は、コンピュータであることを特徴とする請求項１に記載のビデオ-オーディオ娯楽マルチメディア処理装置。
【請求項３】
該制御機構は、携帯電話であることを特徴とする請求項１に記載のビデオ-オーディオ娯楽マルチメディア処理装置。
【請求項４】
該制御機構は、ＰＤＡであることを特徴とする請求項１に記載のビデオ-オーディオ娯楽マルチメディア処理装置。
【請求項５】
該出力ユニットは、少なくとも、スクリーンとスピーカが備えられることを特徴とする請求項１に記載のビデオ-オーディオ娯楽マルチメディア処理装置。
【請求項６】
該音源ユニットは、少なくとも、光ディスクフォーマットやＭＰ３フォーマット及びＭＰＥＧIIフォーマットのファイルを再生できることを特徴とする請求項１に記載のビデオ-オーディオ娯楽マルチメディア処理装置。
【請求項７】
該画像ユニットは、少なくとも、歌詞データベースや静止画像データベース及び動的画像データベースが備えられることを特徴とする請求項１に記載のビデオ-オーディオ娯楽マルチメディア処理装置。
【請求項８】
該第１と第２の伝送ユニットは、リードにより処理ユニットに接続されることを特徴とする請求項１に記載のビデオ-オーディオ娯楽マルチメディア処理装置。
【請求項９】
該第１と第２の伝送ユニットは、有線ネットワークにより処理ユニットに接続されることを特徴とする請求項１に記載のビデオ-オーディオ娯楽マルチメディア処理装置。
【請求項１０】
該第１と第２の伝送ユニットは、無線ネットワークにより処理ユニットに接続されることを特徴とする請求項１に記載のビデオ-オーディオ娯楽マルチメディア処理装置。
【請求項１１】
該第１と第２の伝送ユニットは、赤外線送受信と処理ユニットに接続されることを特徴とする請求項１に記載のビデオ-オーディオ娯楽マルチメディア処理装置。
【請求項１２】
該第１と第２の伝送ユニットは、ブルートゥースプロトコルと処理ユニットに接続されることを特徴とする請求項１に記載のビデオ-オーディオ娯楽マルチメディア処理装置。
【請求項１３】
制御機構と、
上記の制御機構に接続される入力ユニットと、
上記の制御機構に接続される出力ユニットと、
上記の制御機構に接続され、少なくとも、音源ユニットが備えられる音声機構と、
上記の制御機構に接続され、少なくとも、画像ユニットが備えられる画像機構と、が含有される、ことを特徴とするビデオ-オーディオ娯楽マルチメディア処理装置。
【請求項１４】
該制御機構は、コンピュータであることを特徴とする請求項１３に記載のビデオ-オーディオ娯楽マルチメディア処理装置。
【請求項１５】
該制御機構は、携帯電話であることを特徴とする請求項１３に記載のビデオ-オーディオ娯楽マルチメディア処理装置。
【請求項１６】
該制御機構は、ＰＤＡであることを特徴とする請求項１３に記載のビデオ-オーディオ娯楽マルチメディア処理装置。
【請求項１７】
該出力ユニットは、少なくとも、スクリーンとスピーカが備えられることを特徴とする請求項１３に記載のビデオ-オーディオ娯楽マルチメディア処理装置。
【請求項１８】
該音源ユニットは、少なくとも光ディスクフォーマットやＭＰ３フォーマット及びＭＰＥＧIIフォーマットのファイルを再生できることを特徴とする請求項１３に記載のビデオ-オーディオ娯楽マルチメディア処理装置。
【請求項１９】
該画像ユニットは、少なくとも、歌詞データベースや静止画像データベース及び動的画像データベースが備えられることを特徴とする請求項１３に記載のビデオ-オーディオ娯楽マルチメディア処理装置。
【考案の詳細な説明】
【技術分野】
【０００１】
本考案は、ビデオ-オーディオ娯楽マルチメディア処理装置に関し、特に、音声データに合わせて、自力的に編集して、出力する画像を設定できる効果が得られるものに関する。
【背景技術】
【０００２】
しかし、一般の従来のコンピュータは、ビデオ-オーディオマルチメディアデータを再生するには、コンピュータにおいて、オンラインダウンロードやメール伝送或いは光ディスクセットで関連するビデオ-オーディオデータを貯蓄して、ユーザーが、関連するビデオ-オーディオデータを選択して出力する時、キーボードやマウス等の制御ユニットにより、コンピュータの内部において、コマンドを生成し、それらのビデオ-オーディオデータを、関連するソフト／ハードインターフェースを介して制御し、出力し、ユーザーに、必要とするビデオ-オーディオマルチメディアデータを供給する。
【０００３】
しかしながら、それらのビデオ-オーディオマルチメディアデータは、何れかのフォーマットで存在しても、そのデータに、設定された音声や画像データが含まれるため、ユーザーは、取得したビデオ-オーディオマルチメディアデータに対して、単純に、再生や記憶、焼付け或いは転送を実行することしかできなく、音声データのソースについて、勝手に関連する画像を編集や挿入することができなく、該ビデオ-オーディオマルチメディアデータを、勝手に、画像の編集や設定の娯楽機能が得られない。
【考案の開示】
【考案が解決しようとする課題】
【０００４】
本考案の主な目的は、画像機構を利用して、異なる音声主題に応じて、必要とする画像データを編集し、編集された後の画像データが、音声機構の音声データに合わせて、同時に、制御機構により出力され、勝手に、出力したい画像を編集や設定することができるビデオ-オーディオ娯楽マルチメディア処理装置を提供する。
【課題を解決するための手段】
【０００５】
本考案は、上記の目的を達成するため、少なくとも、互いに接続される処理ユニットと第１の入力ユニット及び出力ユニットが備えられる制御機構と、少なくとも、音源ユニットと第２の入力ユニット及び処理ユニットに接続される第１の伝送ユニットが備えられる音声機構と、少なくとも、画像ユニットと第３の入力ユニット及び処理ユニットに接続される第２の伝送ユニットが備えられる画像機構と、が含有されるビデオ-オーディオ娯楽マルチメディア処理装置である
【０００６】
また、本考案は、制御機構と、上記の制御機構に接続される入力ユニットと、上記の制御機構に接続される出力ユニットと、上記の制御機構に接続され、少なくとも、音源ユニットが備えられる音声機構と、上記の制御機構に接続され、少なくとも、画像ユニットが備えられる画像機構と、が含有されるビデオ-オーディオ娯楽マルチメディア処理装置である。
【考案を実施するための最良の形態】
【０００７】
図１と図２は、それぞれ、本考案の第１の実施例の斜視外観概念図と本考案の第１の実施例のブロック流れ概念図である。図のように、本考案は、ビデオ-オーディオ娯楽マルチメディア処理装置であり、少なくとも、制御機構１と音声機構２以及び画像機構３から構成される。
【０００８】
上記の制御機構１は、少なくとも、処理ユニット１１と、処理ユニット１１に接続される第１の入力ユニット１２と、処理ユニット１１に接続され、少なくとも、テレビやＴＦＴ−ＬＣＤ、ＬＥＤ或いはＯＬＥＤであるスクリーン１３１とスピーカ１３２が備えられる出力ユニット１３と、が含有され、該制御機構１は、コンピュータや携帯電話或いはＰＤＡ等の装置であり、本実施例において、コンピュータを例とする。
【０００９】
該音声機構２は、少なくとも、音源ユニット２１と、音源ユニット２１に接続される第２の入力ユニット２２と、音源ユニット２２に接続されて、上記の処理ユニット１１に接続される第１の伝送ユニット２３と、が含有され、該第１の伝送ユニット２３は、リードや有線ネットワーク、無線ネットワーク、赤外線送受信或いはブルートゥースプロトコルにより、処理ユニット１１に接続され、該音源ユニット２１は、少なくとも、光ディスクフォーマットやＭＰ３フォーマット及びＭＰＥＧIIフォーマットのファイルを再生でき、また、該音声機構２は、ＣＤやＭＰ３或いは他の音声プレーヤーであり、本実施例において、ＣＤプレーヤーを例とする。
【００１０】
該画像機構３は、少なくとも、画像ユニット３１と、画像ユニット３１に接続される第３の入力ユニット３２と、画像ユニット３１に接続されて上記の処理ユニット１１に接続される第２の伝送ユニット３３と、が含有され、該第２の伝送ユニット３３は、リードや有線ネットワーク、無線ネットワーク、赤外線送受信或いはブルートゥースプロトコルにより、処理ユニット１１に接続され、また、該画像ユニット３１は、少なくとも、歌詞データベース３１１や静止画像データベース３１２及び動的画像データベース３１３が備えられる。上記の構造により、新規のビデオ-オーディオ娯楽マルチメディア処理装置が構成される。
【００１１】
本考案によれば、音声機構２の第２の入力ユニット２２で、音源ユニット２１の再生したい音声データを選択し、また、画像機構３の第３の入力ユニット３２で、画像ユニット３１の再生したい画像を編集し、画像を編集する時、歌詞データベース３１１や静止画像データベース３１２及び動的画像データベース３１３から、各種類の関連データを選択でき、また、音声データの出力時間及び（或いは）出力する時の周波数を画像データの表示基準として、選択した音声データ及び編集した画像データを、第１と第２の伝送ユニット２３、３３により、制御機構１の処理ユニット１１に伝送し、ビデオ-オーディオデータ再生する時、第１の入力ユニット１２で、予めに編集したビデオ-オーディオデータを選択して出力ユニット１３のスクリーン１３１とスピーカ１３２に、それぞれ、画像と音声を再生し、また、該ビデオ-オーディオデータを再生する時、それらの画像データの表示が、予めに編集されたため、該音声データが、ある段落まで再生される時、或いは（及び）音声データが、ある音声周波数で再生される時、異なる表示で該画像データを出力し（例えば、歌詞や静止写真或いは動的画像を出力する）、そのため、画像機構３で、異なる音声主題に基づいて、必要とする画像データを編集し、編集した画像データを、音声機構２の音声データに合わせて、同時に、制御機構１で出力でき、これにより、勝手に出力したい画像を編集や設定できる効果が得られる。
【００１２】
図３と図４は、それぞれ、本考案の第２の実施例の斜視外観概念図と本考案の第２の実施例のブロック流れ概念図である。図のように、本考案は、上記の第１の実施例による示された構造の他に、各機構を、コンピュータや携帯電話及びＰＤＡ等の装置に適用できるワンチップ装置に統合してもよく、制御機構４と、；制御機構４に接続される入力ユニット５と、制御機構４に接続され、少なくとも、スクリーン６１とスピーカ６２を有する出力ユニット６と、制御機構４に接続され、少なくとも、音源ユニット７１を有する音声機構７と、制御機構に接続され、少なくとも画像ユニット８１を有する画像機構８と、が含有され、また、該音源ユニット７１は、同様に、光ディスクフォーマットやＭＰ３フォーマット及びＭＰＥＧIIフォーマットのファイルを再生でき、該画像ユニット８１は、同様に、歌詞データベース８１１と静止画像データベース８１２及び動的画像データベース８１３を有する。
【００１３】
本考案の第２の実施例によれば、入力ユニット５で、音源ユニット７１の中の再生したい音声データを選択し、また、画像機構８の画像ユニット３１で、再生したい画像を編集し、また、画像を編集する時、歌詞データベース８１１や静止画像データベース８１２及び動的画像データベース８１３から各種類の関連データを選択して、また、音声データの出力時間及び（或いは）出力する時の周波数を画像データの表示基準として、選択した音声データ及び編集した画像データを、制御機構１に伝送し、そして、ビデオ-オーディオデータを再生する時、入力ユニット５で、予めに編集したビデオ-オーディオデータを選択して出力ユニット６のスクリーン６１とスピーカ６２に、それぞれ、画像と音声を再生し、また、該ビデオ-オーディオデータを再生する時、それらの画像データの表示が、予めに編集されたため、該音声データが、ある段落まで再生される時、或いは（及び）音声データが、ある音声周波数で再生される時、異なる表示で該画像データを出力し（例えば、歌詞や静止写真或いは動的画像を出力する）、そのため、同様に、画像機構８で、異なる音声主題に基づいて、必要とする画像データを編集し、編集した画像データを、音声機構７の音声データに合わせて、同時に、制御機構４で出力でき、これにより、勝手に出力したい画像を編集や設定できる効果が得られる。
【００１４】
以上のように、本考案に係るビデオ-オーディオ娯楽マルチメディア処理装置は、有効に従来の諸欠点を解消でき、画像機構を利用して、異なる音声主題について、必要とする画像データを編集でき、また、編集した画像データを、音声機構の音声データに合わせて、制御機構で出力でき、勝手に出力したい画像を編集や設定できる効果が得られ、そのため、本考案は、より進歩的かつより実用的で、法に従って実用新案登録請求を出願する。
【００１５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１６】
【図１】本考案の第１の実施例の斜視外観概念図
【図２】本考案の第１の実施例のブロック流れ概念図
【図３】本考案の第２の実施例の斜視外観概念図
【図４】本考案の第２の実施例のブロック流れ概念図
【符号の説明】
【００１７】
１      制御機構
１１      処理ユニット
１２      第１の入力ユニット
１３      出力ユニット
１３１    スクリーン
１３２    スピーカ
２        音声機構
２１      音源ユニット
２２      第２の入力ユニット
２３      第１の伝送ユニット
３        画像機構
３１      画像ユニット
３１１    歌詞データベース
３１２    静止画像データベース
３１３    動的画像データベース
３２      第３の入力ユニット
３３      第２の伝送ユニット
４        制御機構
５        入力ユニット
６        出力ユニット
６１      スクリーン
６２      スピーカ
７        音声機構
７１      音源ユニット
８        画像機構
８１      画像ユニット
８１１    歌詞データベース
８１２    静止画像データベース
８１３    動的画像データベース
【図１】
0003145706.tif 000003
【図２】
0003145706.tif 000004
【図３】
0003145706.tif 000005
【図４】
0003145706.tif 000006